(57)【要約】【課題】ケーブルの不要輻射によるノイズを抑制することができ、しかも、ケーブルに要するコストを低減できるラインフィルタを提供する。【解決手段】平板状のケーブル２０と、平板状のコア１０とを備え、コア１０は、ケーブル２０に対応した形状の内孔１１を備え、ケーブル２０は、コア１０の軸心方向Ｊと直交する方向Ｋに沿ってコア１０の外面１０Ｍに重ねられる重なり部９０と、重なり部９０に対して軸心方向Ｊに沿うように折り曲げられる折り曲げ部９１と、折り曲げ部９１に対して内孔１１側に折り曲げられるとともに内孔１１に挿通され、折り曲げ部９１側のコア１０の周壁部１０Ｓ、及び、折り曲げ部９１に巻回される巻回部９２とを備えている。【選択図】図１
2019175900.tif 000002
【特許請求の範囲】
【請求項１】
平板状のケーブルと、
平板状のコアとを備え、
前記コアは、前記ケーブルに対応した形状の内孔を備え、
前記ケーブルは、
前記コアの軸心方向と直交する方向に沿って前記コアの外面に重ねられる重なり部と、
前記重なり部に対して前記軸心方向に沿うように折り曲げられる折り曲げ部と、
前記折り曲げ部に対して前記内孔側に折り曲げられるとともに前記内孔に挿通され、前記折り曲げ部側のコアの周壁部、及び、前記折り曲げ部に巻回される巻回部とを備えているラインフィルタ。
【請求項２】
請求項１に記載のラインフィルタと、
原稿を読み取って入力画像を得る撮像部を有する画像読取部と、
前記原稿を印刷する印刷部と、
前記画像読取部と前記印刷部を制御する制御部とを備え、
前記撮像部と前記制御部は前記ラインフィルタを介して接続される画像形成装置。
【請求項３】
請求項１に記載のラインフィルタを備える電子機器。
【発明の詳細な説明】
【技術分野】
【０００１】
本発明は、ラインフィルタ、画像形成装置及び電子機器に関する。
【背景技術】
【０００２】
電子機器において、基板から基板への信号の伝達には平板状のフラットケーブルが用いられている。このケーブルに電流が流れる際、ケーブルの不要輻射によるノイズ（Ｅｌｅｃｔｒｏ  ｍａｇｎｅｔ  Ｉｎｔｅｒｓｅｒｅｎｃｅ：ＥＭＩ）が問題となる。
そこで、従来、特許文献１に開示されているように、次の手順で製作されるラインフィルタが開発されていた。
（１）  図１０に示すように、ケーブル２０の先端２５をコア１０の内孔１１の入口１２から侵入させ、出口１３を通過させることにより、第１貫通部２１を形成する。
（２）  図１１に示すように、ケーブル２０の先端２５を折り返してコア１０の外側からコア１０の入口１２まで戻す。
（３）  図１２に示すように、ケーブル２０の先端２５をコア１０の内孔１１の入口１２から侵入させ、出口１３を通過させることにより、連絡部３０と第２貫通部２２とを形成する。
（４）  図１３に示すように、直線に延びているケーブル２０を折り曲げ部９１で折り曲げることにより、第２本体部３２を形成する。
上記のようにしてコア１０にケーブル２０を巻き付けることで、インピーダンスを増加させて、ケーブル２０の不要輻射によるノイズを抑制している。
【先行技術文献】
【特許文献】
【０００３】
【特許文献１】特開２０１４−１０７３８８号公報
【発明の概要】
【発明が解決しようとする課題】
【０００４】
しかしながら、上記特許文献１の技術によれば、図１３に示すように、ケーブル２０のコア１０への巻き数を増やすたびに、（Ｌ１＋Ｌ２）×２の長さが必要になる（Ｌ１はケーブルの幅、Ｌ２はコアの幅）。そのために、ケーブル２０が長くなり、ケーブル２０に要するコストが高くなっていた。
本発明は上記実状に鑑みて成されたもので、その目的は、ケーブルの不要輻射によるノイズを抑制することができ、しかも、ケーブルに要するコストを低減できるラインフィルタ、画像形成装置及び電子機器を提供する点にある。
【課題を解決するための手段】
【０００５】
本発明の一局面のラインフィルタは、平板状のケーブルと、平板状のコアとを備え、前記コアは、前記ケーブルに対応した形状の内孔を備えている。そして、前記ケーブルは、前記コアの軸心方向と直交する方向に沿って前記コアの外面に重ねられる重なり部と、  前記重なり部に対して前記軸心方向に沿うように折り曲げられる折り曲げ部と、前記折り曲げ部に対して前記内孔側に折り曲げられるとともに前記内孔に挿通され、前記折り曲げ部側のコアの周壁部、及び、前記折り曲げ部に巻回される巻回部とを備えている。
本発明の他の局面の画像形成装置は、前記ラインフィルタと、原稿を読み取って入力画像を得る撮像部を有する画像読取部と、前記原稿を印刷する印刷部と、前記画像読取部と前記印刷部を制御する制御部とを備え、前記撮像部と前記制御部は前記ラインフィルタを介して接続される。
本発明のさらに他の局面の電子機器は、上記のラインフィルタを備える。
【発明の効果】
【０００６】
本発明によれば、ケーブルの不要輻射によるノイズを抑制することができ、しかも、ケーブルに要するコストを低減できるラインフィルタ、画像形成装置及び電子機器を提供することができる。
【図面の簡単な説明】
【０００７】
【図１】図１は、ラインフィルタを示す図である。
【図２】図２は、ケーブルの重なり部をコアの外面に重ねた状態を示す図である。
【図３】図３は、ケーブルの折り曲げ部を、重なり部に対してコアの軸心方向に沿うように折り曲げた状態を示す図である。
【図４】図４は、ケーブルの巻回部を、折り曲げ部に対して内孔側に折り曲げるとともに内孔に挿通した状態を示す図である。
【図５】図５は、ケーブルの巻回部を、折り曲げ部側のコアの周壁部、及び、折り曲げ部に巻回した状態を示す図である。
【図６】図６は、画像形成装置を示す模式的な側面図である。
【図７】図７は、画像形成装置を示す模式的な斜視図である。
【図８】図８は、画像読取部を示す模式的な上面図である。
【図９】図９は、ラインフィルタと画像読取装置との接続の実施形態を示す模式図で        ある。
【図１０】図１０は、第１の比較例の構造を示す模式図であり、ケーブルの先端をコアの内孔の入口から侵入させ出口を通過させた状態の模式図である。
【図１１】図１１は、第１の比較例の構造を示す模式図であり、ケーブルの先端を折り返してコアの外側からコアの入口まで戻した状態の模式図である。
【図１２】図１２は、第１の比較例の構造を示す模式図であり、ケーブルの先端をコアの内孔の入口から侵入させ出口を通過させることにより、連絡部と第２貫通部とを形成した状態の模式図である。
【図１３】図１３は、第１の比較例の構造を示す模式図であり、直線に延びているケーブルを折り曲げ部で曲げることにより、第２本体部を形成した状態の模式図である。
【図１４】図１４は、第３の比較例の構造の画像読取部を示す模式的な上面図である。
【図１５】図１５は、第２の比較例の構造のラインフィルタを示す模式的な斜視図である。
【発明を実施するための形態】
【０００８】
以下、図面を参照して本発明のラインフィルタ、画像形成装置及び電子機器の実施形態を説明する。但し、本発明は以下の実施形態に限定されない。
［基本構成：ラインフィルタ］
図１〜図５を参照して、本発明のラインフィルタ１００の実施形態を説明する。ラインフィルタ１００はコア１０とケーブル２０とを備える。前記コア１０にケーブル２０が通されている。これにより、ケーブル２０の不要輻射によるノイズを抑制している。
【０００９】
［コア１０の構造］
コア１０は、例えばフェライトコアである。コア１０には、ケーブル２０に対応した形状を有する内孔１１が設けられている。コア１０の形状は平板状である。コア１０の内孔１１は、コア１０の軸心方向Ｊから見た断面において細長い楕円形に形成されている。内孔１１の短径は、ケーブル２０の板厚（肉厚）よりも少しだけ長く設定されている。一方、内孔１１の長径は、コア１０の幅Ｌ２よりも長く、かつ、コア１０の長手方向の長さ（コア１０の幅Ｌ２と直交する方向の長さ）よりも少しだけ短く設定されている。
【００１０】
［ケーブル２０の構造］
ケーブル２０の形状は平板状であり、より詳しくは、全長にわたって一定幅の帯板状である。ケーブル２０の幅Ｌ１はコア１０の幅Ｌ２よりも短く設定されている。ケーブル２０は、例えば、ＦＦＣ（Ｆｌｅｘｉｂｌｅ  Ｆｌａｔ  Ｃａｂｌｅ）やＦＰＣ（Ｆｌｅｘｉｂｌｅ  ｐｒｉｎｔｅｄ  ｃｉｒｃｕｉｔｓ）である。
【００１１】
図２〜図５に示すように、ケーブル２０は、コア１０の軸心方向Ｊと直交する方向Ｋに沿ってコア１０の外面１０Ｍに重ねられる重なり部９０を備えている。さらにケーブル２０は、重なり部９０に対して前記軸心方向Ｊに沿うように折り曲げられる折り曲げ部９１と、折り曲げ部９１から延びる巻回部９２とを備えている。巻回部９２は、折り曲げ部９１に対して内孔１１側に折り曲げられるとともに内孔１１に挿通され、折り曲げ部９１側のコア１０の周壁部１０Ｓ、及び、折り曲げ部９１に巻回される。重なり部９０と折り曲げ部９１と巻回部９２は、この順にケーブル２０の長手方向に連なっている。
【００１２】
本実施形態では、巻回部９２は、折り曲げ部９１側のコア１０の周壁部１０Ｓ、及び、折り曲げ部９１に１回巻回されている。前記巻回部９２が、折り曲げ部９１側のコア１０の周壁部１０Ｓ、及び、折り曲げ部９１に２回以上巻回されていてもよい。
【００１３】
次に、ケーブル２０のコア１０への巻回について説明する。
（１）  図２に示すように、ケーブル２０の長手方向中間部の重なり部９０を、コア１０の軸心方向Ｊと直交する方向Ｋに沿ってコア１０の外面１０Ｍに重ねてコア１０の両側縁間に位置させる。符号９３は折り曲げ線である。
（２）  図３に示すように、重なり部９０からケーブル２０の長手方向に延びている折り曲げ部９１を、重なり部９０に対して前記軸心方向Ｊに沿うように９０度折り曲げる。折り曲げ部９１は重なり部９０に重なる。
（３）  図４に示すように、折り曲げ部９１からケーブル２０の長手方向に延びている巻回部９２を、折り曲げ部９１に対して内孔１１側に折り曲げるとともに内孔１１に挿通する。
（４）  図５に示すように、巻回部９２を、折り曲げ部９１側のコア１０の周壁部１０Ｓ、及び、折り曲げ部９１に巻回する。
【００１４】
本実施形態のラインフィルタ１００による効果を、図１３に示す前述の比較例の構造（特許文献１の構造、以下、「第１の比較例の構造」と称する）と比較して説明する。第１の比較例の構造では、ケーブル２０のコア１０への巻き数を増やすたびに、（Ｌ１＋Ｌ２）×２のケーブル長さが必要になる（Ｌ１はケーブル２０の幅、Ｌ２はコア１０の幅）。
【００１５】
これに対して、本実施形態のラインフィルタ１００では、例えば、ケーブル２０の幅Ｌ１が、コア１０の幅Ｌ２よりも短い場合（Ｌ１＜Ｌ２の場合、図１参照）、ケーブル２０のコア１０への巻き数を増やすたびに必要となるケーブル長さはＬ２×２である。また、ケーブル２０の幅Ｌ１が、コア１０の幅Ｌ２よりも長い場合（Ｌ１＞Ｌ２の場合）、ケーブル２０のコア１０への巻き数を増やすたびに必要となるケーブル長さはＬ１×２である。
【００１６】
前記（Ｌ２×２）は、第１の比較例の構造の前記（Ｌ１＋Ｌ２）×２よりも短く、前記（Ｌ１×２）は、第１の比較例の構造の前記（Ｌ１＋Ｌ２）×２よりも短い。このように、本実施形態のラインフィルタ１００によれば、上記のいずれの場合も、ケーブル２０の巻回部９２をコア１０に巻回する際に必要なケーブル長さを、第１の比較例の構造よりも短くすることができる。
【００１７】
従って、ケーブル２０に要するコストを低減することができる。そして、コア１０にケーブル２０を巻回することで、インピーダンスを増加させて、ケーブル２０の不要輻射によるノイズを抑制することができる。また、ケーブル２０が長い第１の比較例の構造に比べて、信号品質を確保しやすい。
【００１８】
例えば、図１５に示すように、コア１０にケーブル２０を巻回する構造として、ケーブル２０の幅の略２倍の幅のコア１０にケーブル２０を巻回する構造（以下、「第２の比較例の構造」と称する）がある。この第２の比較例の構造では、コア１０の幅方向一方側の内孔部分にケーブル２０を挿通させて斜めに折り返し、コア１０の幅方向他方側の内孔部分に再びケーブル２０を挿通させている。本実施形態のラインフィルタ１００は、このような第２の比較例の構造に比べると、コア１０を小さくすることができる。
【００１９】
つまり、本実施形態のラインフィルタ１００によれば、コア１０の大きさを大きくすることなく、ケーブル２０の不要輻射によるノイズを抑制することができ、信号品質を確保しやすくすることができ、しかも、ケーブル２０に要するコストを低減することができる。
【００２０】
［画像形成装置］
図６，図７を参照して本発明の画像形成装置２００の実施形態を説明する。画像形成装置２００は前記ラインフィルタ１００を備える。画像形成装置２００は、さらに画像読取部５０と印刷部７０と制御部６０とを備える。画像形成装置２００は原稿台５６をさらに備える。画像読取部５０は原稿台５６の下方に設けられている。制御部６０と印刷部７０とは支持筐体８０の内部に搭載されている。画像形成装置２００は、原稿台５６の上に載置された原稿Ｍを読み取って入力画像を得る。
【００２１】
画像読取部５０は撮像部５１を有する。撮像部５１は、原稿Ｍを読み取って入力画像を得る。画像読取部５０は、光源（図示せず）と光学系（図示せず）とを有する。光学系は、複数の反射ミラーとレンズとを有している。
【００２２】
光源から出射した光は、光学系を経て撮像部５１に到達する。以下、光源から出射した光が撮像部５１に到達する過程を説明する。光源は、原稿台５６を下方から照射する。光源から出射された光は原稿Ｍで反射して、複数の反射ミラーによって導かれ、レンズを通り撮像部５１に到達する。
【００２３】
撮像部５１は、例えば、ＣＣＤ（Ｃｈａｒａｇｅ  Ｃｏｕｐｌｅｄ  Ｄｅｖｉｃｅ）ユニットやＣＩＳ（Ｃｏｎｔａｃｔ  Ｉｍａｇｅ  Ｓｅｎｓｏｒ）ユニットである。撮像部５１は、撮像素子を搭載した基板を有する。撮像部５１がＣＣＤユニットである場合、撮像素子はＣＣＤイメージセンサである。撮像部５１がＣＩＳユニットである場合、撮像素子はＣＭＯＳイメージセンサである。撮像部５１において、撮像素子は撮像部５１に到達した光から電気信号を生成する。
【００２４】
撮像部５１と制御部６０とは、ラインフィルタ１００を介して接続される。撮像部５１で生成した電気信号は、ラインフィルタ１００のケーブル２０を流れて、制御部６０へと入力される。制御部６０は、画像読取部５０と印刷部７０とを制御する。制御部６０は、原稿Ｍを読み取って入力画像を得るために画像読取部５０を制御する。制御部６０が入力画像に基づいて印刷部７０を制御することにより、印刷部７０は原稿Ｍを印刷する。
【００２５】
印刷部７０は、感光ドラム７１と現像部７２と転写部７３と給紙部７４と第１搬送ベルト７５とトナー収容部７６と蓋７７と排紙台７８と第２搬送ベルト７９とを有する。印刷部７０は、画像読取部５０の下方に設けられる。原稿Ｍを印刷する場合、感光ドラム７１を帯電器（図示せず）により帯電させる。その後、帯電された感光体ドラム７１の表面に、入力画像に基づいてレーザーを照射し、静電潜像を形成する。そして、現像部７２によって静電潜像にトナーを付着させて感光ドラム７１の表面にトナー像を形成する。転写部７３は、感光ドラム７１の表面に形成されたトナー像と逆の極性の電荷を用紙に与える。給紙部７４から第１搬送ベルト７５により搬送された用紙に転写部７３で形成されたトナー像を転写する。トナー像が転写された用紙は第２搬送ベルト７９により搬送され、排紙台７８に排紙される。
【００２６】
次に、図７を参照して撮像部５１と制御部６０との接続について説明する。図７は、トナー収容部７６にトナーを挿入するために蓋７７を上げている状態である。制御部６０は、画像形成装置２００の支持筐体８０の側面に設けられている。ケーブル２０は前記折り曲げ部９１で水平方向に曲げられる。そして、ケーブル２０は、支点４１において垂直方向に曲げられる。その後、ケーブル２０は、水平方向に曲げられ、垂直方向に曲げられて、制御部６０に接続される。このように、ラインフィルタ１００を備えることにより、ケーブル２０の不要輻射によるノイズを抑制している。
【００２７】
次に、前記画像形成装置２００を第３の比較例の構造と比較して説明する。図１４は、第３の比較例の構造である画像読取部５０を示す模式的な上面図である。図８は、本発明の実施形態の画像読取部５０を示す模式的な上面図である。
【００２８】
図１４に示すように、画像読取部５０は撮像部５１を備える。撮像部５１は、撮像素子を搭載した基板５３を有する。撮像部５１はラインフィルタ１００と接続している。ラインフィルタ１００はコア１０とケーブル２０とを有する。ケーブル２０はコア１０の内孔を１回通過している。ケーブル２０はコア１０の内孔を通過後、副走査方向ｈに延びている。
【００２９】
図８に示すように、本実施形態の画像読取部５０は撮像部５１を備える。撮像部５１は、図１で示したラインフィルタ１００と接続している。撮像部５１は、撮像素子を搭載した基板５３を有する。撮像部５１に接続されたケーブル２０は、撮像部５１の下方におろされ、撮像部５１の下方を通って副走査方向ｈに延びていく。ケーブル２０の重なり部９０は副走査方向ｈ（コア１０の軸心方向Ｊ（図１参照）と同じ方向である）に延びている。ケーブル２０の折り曲げ部９１と巻回部９２は、主走査方向ｖ（コア１０の軸心方向Ｊと直交する方向Ｋ（図１参照）と同じ方向である）に延びている。重なり部９０の延びる方向は、折り曲げ部９１の延びる方向、及び、巻回部９２の延びる方向に対して直交している。
【００３０】
図７に示すように、トナー収容部７６にトナーを挿入するために蓋７７を上げる際に、画像読取部５０が邪魔にならないように、画像読取部５０を、支持筐体８０に支持された回動軸に対して回動させることがある。第３の比較例の構造の画像読取部５０（図１４参照）では、回動軸と平行な方向にケーブル２０が延びているために、上記のように画像読取部５０を回動させた場合、ケーブル２０が引っ張られてストレスを受け、断線する虞がある。
【００３１】
これに対し、本実施形態の画像読取部５０では、図８に示すように、回動軸と交差する方向（主走査方向ｖ）にケーブル２０の折り曲げ部９１と巻回部９２が延びているから、ケーブル２０に引っ張り力が加わることを抑制できてケーブル２０の断線を抑制できる。
【００３２】
図８，図９を参照して、本発明のラインフィルタ１００と画像読取装置５０との接続の実施形態を説明する。図９は、本発明によるラインフィルタ１００と画像読取装置５０との接続を示す模式図である。図９は、図８の矢印ｐの方向から見た撮像部５１を示す。
【００３３】
画像読取部５０の撮像部５１は、撮像素子５４を搭載した基板５３を有する。基板５３はコネクタ５５を有している。このコネクタ５５と、ケーブル２０の重なり部９０側に設けられたコネクタとを連結することにより、ラインフィルタ１００と基板５３とが接続される。ケーブル２０は折り曲げ部９１で下方に折り曲げられて撮像部５１の下方に延びている。
【００３４】
以上、図８，図９を参照して説明したように、撮像素子５４に隣接してラインフィルタ１００を設けることができる。従って、ケーブル２０を撮像部５１の下方に単におろすよりも、ケーブル２０の不要輻射によるノイズをさらに抑制することができる。
【００３５】
本発明のラインフィルタ１００は他の電子機器にも設けることができる。例えば、電子機器は、パソコン、携帯電話及びパネルなどのディスプレイである。電子機器が本発明のラインフィルタ１００を備えることにより、電子機器に設けられているケーブル２０の不要輻射によるノイズを抑制することができる。
【産業上の利用可能性】
【００３６】
本発明は、画像形成装置や電子機器に設けられるラインフィルタに有用である。
【符号の説明】
【００３７】
１０        コア
１０Ｍ       コアの外面
１０Ｓ       折り曲げ部側のコアの周壁部
１１        内孔
２０        ケーブル
５０        画像読取部
５１        撮像部
６０        制御部
７０        印刷部
９０         重なり部
９１         折り曲げ部
９２         巻回部
１００      ラインフィルタ
２００      画像形成装置
Ｊ           コアの軸心方向
Ｋ           コアの軸心方向と直交する方向
Ｍ           原稿
【図１】
2019175900.tif 000003
【図２】
2019175900.tif 000004
【図３】
2019175900.tif 000005
【図４】
2019175900.tif 000006
【図５】
2019175900.tif 000007
【図６】
2019175900.tif 000008
【図７】
2019175900.tif 000009
【図８】
2019175900.tif 000010
【図９】
2019175900.tif 000011
【図１０】
2019175900.tif 000012
【図１１】
2019175900.tif 000013
【図１２】
2019175900.tif 000014
【図１３】
2019175900.tif 000015
【図１４】
2019175900.tif 000016
【図１５】
2019175900.tif 000017